(57)【特許請求の範囲】
【請求項１】
水平に寝かした状態のパネル下地材に外装材を固定し、隣り合う外装材同士を接合して取付ける外装材の固定金具であって、パネル下地材への固定部と外装材との接合部とを有する基板部に、外装材の端部と当該端部を接合する固定金具の接合部との間の密着性を高めるための打撃が可能とされた打撃部が付設されていることを特徴とする外装材の固定金具。
【請求項２】
打撃部は固定金具の基板部上端から屈曲した打撃片である請求項１記載の外装材の固定金具。
【請求項３】
水平に寝かした状態のパネル下地材に外装材を請求項１または２記載の外装材の固定金具を用いて固定するとともに、隣り合う外装材同士をその固定金具により接合して取付ける外装材の施工方法であって、外装材の端部に固定金具の接合部を嵌め込み、軽く接合させた状態にした後、打撃部を打撃し、十分に接合させ、固定金具を固定部においてパネル下地材に固定する工程を順次繰り返すことを特徴とする外装材の施工方法。
【発明の詳細な説明】
【０００１】
【発明の属する技術分野】
この出願の発明は、壁パネル等に有用な、外装材の固定金具およびその施工方法に関するものである。
【０００２】
【従来の技術】
従来より、住宅等の壁パネルとしては、パネル下地材（パネル本体とも呼べる）とその表面材としての外装材とで構成されるものが知られており、その施工については、工場等にて予めパネル下地材に外装材を固定取付けして一体化させておき、それを施工現場に搬入して張り上げる方法や、施工現場にて先にパネル下地材を柱や胴縁等に張り付けておき、それに後から外装材を固定取付けしていく方法が採用されている。
【０００３】
いずれの施工方法においても、外装材のパネル下地材への固定取付けには、たとえば図３に例示したような固定金具（１）が用いられる。この固定金具（１）は、基板部（１１）にパネル下地材（３）への固定部（１２）と外装材（２）同士を接合させる接合部（１３ａ）（１３ｂ）とを有し、上下方向に隣り合う外装材（２）間にて、下段の外装材（２）の上端部および上段の外装材（２）の下端部を接合部（１３ａ）（１３ｂ）を介して互いに対向するように接合するとともに、固定部（１２）を介してビスや釘等によりパネル下地材（３）へ固定するようになっている。
【０００４】
【発明が解決しようとする課題】
しかしながら、上記のとおりの固定金具（１）を用いた外装材の施工には、実用上以下のような改良すべき点があった。
【０００５】
すなわち、外装材（２）間の接合部分に隙間が生じないように注意しながら施工を進めていくのは当然であるが、上記後者の施工方法においては、直立した状態のパネル下地材（３）に対して外装材（２）を順に土台側の下段から上方へ張り上げていくので（たとえば図４参照）、外装材（２）の自重により必然と外装材（２）の上下端部が固定金具（１）の接合部（１３ａ）（１３ｂ）に密着して接合部分の隙間がなくなるのに対し、上記前者の施工方法においては、通常、工場等にて水平に寝かした状態のパネル下地材（３）に外装材（２）を固定取付けするので、外装材（２）の自重がかからないために、隙間が生じ易くなり、精度良く接合することが難しかったのである。接合部分にゆるみのあるままで立てれば、さらに隙間が発生してしまう恐れもある。
【０００６】
この出願の発明は、以上のとおりの事情に鑑みてなされたものであり、従来技術を改良し、水平状態での外装材の施工においても外装材間の隙間発生を効果的に防止して、精度の良い接合を実現させることのできる、新しい外装材の固定金具およびそれを用いた外装材の施工方法を提供することを課題としている。
【０００７】
【課題を解決するための手段】
この出願の発明は、上記の課題を解決するものとして、第１には、水平に寝かした状態のパネル下地材に外装材を固定し、隣り合う外装材同士を接合して取付ける外装材の固定金具であって、パネル下地材への固定部と外装材との接合部とを有する基板部に、外装材の端部と当該端部を接合する固定金具の接合部との間の密着性を高めるための打撃が可能とされた打撃部が付設されていることを特徴とする外装材の固定金具を提供し、第２には、前記打撃部が固定金具の基板部上端から屈曲した打撃片であることを特徴とする外装材の固定金具を提供する。
【０００８】
また、この出願の発明は、第３には、水平に寝かした状態のパネル下地材に外装材を請求項１または２記載の外装材の固定金具を用いて固定するとともに、隣り合う外装材同士をその固定金具により接合して取付ける外装材の施工方法であって、外装材の端部に固定金具の接合部を嵌め込み、軽く接合させた状態にした後、打撃部を打撃し、十分に接合させ、固定金具を固定部においてパネル下地材に固定する工程を順次繰り返すことを特徴とする外装材の施工方法を提供する。
【０００９】
【発明の実施の形態】
図１および図２は、各々、この出願の発明の一実施形態を例示したものである。
【００１０】
たとえばこれら図１および図２に例示したように、この出願の発明における固定金具（１）では、基板部（１１）にパネル下地材（３）への固定部（１２）と外装材（２）のための接合部（１３ａ）（１３ｂ）とを有し、隣り合う外装材（２）の上下端部を接合部（１３ａ）（１３ｂ）を介して接合するとともに固定部（１２）を介してパネル下地材（３）へ固定するようになっていることは図３に例示した従来のものと同じであるが、このものにさらに打撃部（１４）を付加したことを特徴としており、この打撃部（１４）の存在によって、水平状態での外装材（２）の施工にあっても外装材（２）間の隙間発生を効果的に防止して、精度の良い接合を実現ならしめている。
【００１１】
打撃部（１４）は、外装材（２）の端部と固定金具（１）の接合部（１３ａ）（１３ｂ）との間の密着性を高めるための打撃が可能とされたものであり、本実施形態では固定金具（１）の基板部（１１）上端を前方に折り曲げて屈曲した打撃片になっている。そして、施工時においては、下段となる外装材（２）の端部に固定金具（１）の接合部（１３ａ）を嵌め込み、軽く接合させた状態にてハンマー（４）等で打撃部（１４）を打撃し、十分に接合させてから、ビスや釘等で固定金具（１）をパネル下地材（３）に固定する。本実施形態では外装材（２）の端部は実部（２１）を有し、接合部（１３ａ）は実部（２１）に対応した形状を有しており、打撃部（１４）への打撃によって、実部（２１）と接合部（１３ａ）との密着性が高まりしっかりとした接合状態が実現されることになる。後は、上段となる外装材（２）の下端部をもう一方の接合部（１３ｂ）に接合させ、この一連の作業を繰り返せば、パネル下地材（３）および外装材（２）を水平に寝かしたままでも、外装材（２）間の接合部分にゆるみ、隙間のない、優れた壁パネルを実現することができる。
【００１２】
なお、固定金具（１）は、ビスや釘等によりパネル下地材（３）へ固定する必要があるが（図２では固定部（１２）にビス／釘用穴（１２１）が設けられている）、打撃部（１４）を付加したことによりその固定が行いずらくならないようにするために、固定金具（１）の基板部（１１）を通常よりもある程度長く延長させておくことが好ましい。これにより、基板部（１１）上端に設けられた打撃部（１４）が邪魔にならずに、固定金具（１）をパネル下地材（３）へ留め付けることができ、作業性が向上される。
【００１３】
もちろん、この出願の発明は以上の実施形態に限定されるものではなく、細部については様々な態様が可能である。
【００１４】
【発明の効果】
以上詳しく説明したとおり、この出願の発明によって、水平状態での外装材の施工においても外装材間の隙間発生を効果的に防止して、精度の良い接合を実現させることのできる、新しい外装材の固定金具およびそれを用いた外装材の施工方法が提供される。これにより、水平状態での施工によっても外装材間にゆるみや隙間のない壁パネルを実現でき、それを立設させても隙間が生じることがないので、優れた住宅壁の実現を図ることができる。
【図面の簡単な説明】
【図１】この出願の発明の一実施形態を例示した断面図である。
【図２】この出願の発明の一実施形態を例示した斜視図である。
【図３】従来技術を説明するための斜視図である。
【図４】従来技術を説明するための別の斜視図である。
【符号の説明】
１  固定金具
１１  基板部
１２  固定部
１２１  ビス／釘用穴
１３ａ，１３ｂ  接合部
１４  打撃部
２  外装材
２１  実部
３  パネル下地材
４  ハンマー
【図１】
0003999010.tif 000002
【図２】
0003999010.tif 000003
【図３】
0003999010.tif 000004
【図４】
0003999010.tif 000005